(57)【要約】【課題】中間に接続部を有しないものであり、巻取りをスムーズに行うことができる長尺状体収納機構を提供することを課題とする。【解決手段】回動可能なリール１の外周面に、周方向に隔壁３を設けることにより、リール１の外周面１１が少なくとも一対の巻取部１１ａ，１１ｂに区画され、中間に接続部を有しない連続体である長尺状体２の、基端部２１と先端部２２とを両巻取部１１ａ，１１ｂに分離して巻くことができると共に、長尺状体２の中間部２３が両巻取部１１ａ，１１ｂの間に渡って配位され、長尺状体２の基端部２１と先端部２２とが同時にリール１に巻き取られる、コードリールやホースリール等の長尺状体収納機構を提供する。【選択図】　　　　　図２
2004043151.tif 000002
【特許請求の範囲】
【請求項１】
回動可能に備えられた、略円筒形であるリール（１）の外周面（１１）に、ホースやコード等の長尺状体（２）を巻き取って収納することができる、長尺状体収納機構において、
リール（１）の外周面（１１）に、周方向に隔壁（３）を設けることにより、リール（１）の外周面（１１）が区画され、これにより、少なくとも一対の巻取部（１１ａ，１１ｂ）が形成されるものであり、
リール（１）は、ゼンマイばね（４）により巻き取り方向（ｉ）に付勢されるものであり、
このリール（１）に巻き取られる長尺状体（２）は、中間に接続部を有しない連続体であって、
長尺状体（２）の基端部（２１）と先端部（２２）とを両巻取部（１１ａ，１１ｂ）に分離して巻くことができると共に、
長尺状体（２）の中間部（２３）が両巻取部（１１ａ，１１ｂ）の間に渡って配位され、
長尺状体（２）の基端部（２１）と先端部（２２）とが同時にリール（１）に巻き取られるものであることを特徴とする長尺状体収納機構。
【請求項２】
巻取部（１１ａ，１１ｂ）の幅寸法が、長尺状体（２）の断面寸法にほぼ一致するものであることを特徴とする、請求項１に記載の長尺状体収納機構。
【請求項３】
一対の巻取部（１１ａ，１１ｂ）の隔壁（３１，３２）が間隔をおいて別々に形成され、
両隔壁（３１，３２）の間には保持部（１１ｃ）が形成されるものであり、
長尺状体（２）の中間部（２３）は、両隔壁（３１，３２）に各々形成された貫通穴を貫通して保持部（１１ｃ）に配位されるものであることを特徴とする、請求項１又は２に記載の長尺状体収納機構。
【発明の詳細な説明】
【０００１】
【発明の属する技術分野】
本願発明は、ホースや電気コード等の長尺状体を巻き取って収納するための、長尺状体収納機構に関するものである。
【０００２】
【従来の技術】
ホースリールやコードリール等、ホースや電気コード等の長尺状体を巻き取って収納するための、長尺状体収納機構は従来から存在しており、広く使用されている。これは図７に示すように、回動可能に支持され、糸巻状（端面に鍔を有する円筒形）のリール１０１の外周面に、長尺状体１０２を巻き取っていくことができるものである。
図７に示したものは、水道ホース用のホースリールである。リール１０１の内部にはエルボ１０３が配位されており、リール１０１と共に回動する。エルボ１０３の一端側は、リール１０１の端面中央に配位される。図示の例では、ここに基端側ホース１０４が接続されている。尚、この部分には継手（ロータリージョイント）１０５が設けられており、縁が切られるため、リール１０１が回動した際でも、基端側ホース１０４はリール１０１と共に回らないようになっている。一方、エルボ１０３の他端側は、リール１０１の外周面に配位されており、こちらには先端側ホース１０２が接続される。そして、先端側ホース１０２は、リール１０１が回動するに伴ってリール１０１の外周面に巻き取られる。このように先端側ホース１０２が巻き取られることにより、長尺の水道ホースであってもコンパクトに収納することができる。
一方、上記の水道ホース用のホースリールの他に一般的なものとしては、電気コード用のコードリールがあるが、これは、リールの端面にコンセントが埋め込まれており、このコンセントと電気的に接続されたコードがリールの外周面に巻かれるものである（図示しない）。
【０００３】
【発明が解決しようとする課題】
しかし、上記の水道用のホースリールにおいてはエルボ１０３とホース１０２との接続部があるため、ホース１０２にかかる内圧（水圧）や外力により、又、電気用のコードリールにおいてはコンセントの内部に電気接点があるため、外力により、これらの接続部が外れてしまう可能性があって、長尺状体の内部を流れる流体等が漏れることがあった。特にガスホース用のリールの場合は、ガス漏れ等につながる恐れがあり、又、電気用のコードリールについては漏電する可能性があり、事故が起こる恐れがあった。
又、図７に示すように、リール１０１の外周面にホース１０２を並べるようにして巻いていくため、からまってしまったり、巻きが不均等になる場合があった。
【０００４】
上記の問題に鑑み、本願発明は、中間に接続部を有しないものであり、巻取りをスムーズに行うことができる長尺状体収納機構を提供することを課題とする。
【０００５】
【課題を解決するための手段】
上記課題を解決するために、本願第１の発明は、回動可能に備えられた、略円筒形であるリール１の外周面１１に、ホースやコード等の長尺状体２を巻き取って収納することができる、長尺状体収納機構において、リール１の外周面１１に、周方向に隔壁３を設けることにより、リール１の外周面１１が区画され、これにより、少なくとも一対の巻取部１１ａ，１１ｂが形成されるものであり、リール１は、ゼンマイばね４により巻き取り方向ｉに付勢されるものであり、このリール１に巻き取られる長尺状体２は、中間に接続部を有しない連続体であって、長尺状体２の基端部２１と先端部２２とを両巻取部１１ａ，１１ｂに分離して巻くことができると共に、長尺状体２の中間部２３が両巻取部１１ａ，１１ｂの間に渡って配位され、長尺状体２の基端部２１と先端部２２とが同時にリール１に巻き取られるものであることを特徴とする長尺状体収納機構を提供する。
【０００６】
又、本願第２の発明は、第１の発明において、巻取部１１ａ，１１ｂの幅寸法が、長尺状体２の断面寸法にほぼ一致するものであることを特徴とする長尺状体収納機構を提供する。
【０００７】
又、本願第３の発明は、第１又は第２の発明において、一対の巻取部１１ａ，１１ｂの隔壁３１，３２が間隔をおいて別々に形成され、両隔壁３１，３２の間には保持部１１ｃが形成されるものであり、長尺状体２の中間部２３は、両隔壁３１，３２に各々形成された貫通穴を貫通して保持部１１ｃに配位されるものであることを特徴とする長尺状体収納機構を提供する。
【０００８】
【発明の実施の形態】
以下、図面に基づき本願発明の実施の一例としてガスホース用のホースリールを取り上げて説明する。図１は、本例のホースリールの正面図及び右側面図である。又、図２は図１（Ａ）のＡ−Ａ断面図である。
【０００９】
本例のホースリールは、ホース２の巻かれたリール１がケース５に収められていて、外観上、ホース２の基端部２１及び先端部２２だけが見えている。尚、ケース５の底部にはキャスター６が取り付けられており、ケース５の移動が可能になっている。
【００１０】
リール１は従来のものと同様で糸巻状のものであり、本例においては、中空の略円筒形状で、両端には、端面が径方向に延長されるようにして鍔部１２が設けられている。
そして、リール１の外周面１１には、鍔部１２，１２の間に、鍔部１２，１２と平行に隔壁３が形成されており、この隔壁３によってリール１の外周面１１が区画され、一対の巻取部１１ａ，１１ｂが形成される。本例においては、基端側隔壁３１と先端側隔壁３２の２枚の隔壁３が形成されるものであり、鍔部１２，１２と各隔壁３１，３２との間にそれぞれ形成されるのが、基端側巻取部１１ａ，先端側巻取部１１ｂである。そして、各隔壁３１，３２の間に挟まれた空間が保持部１１ｃであり、ここにホース２の中間部２３が配位される。
リール１は、両端面の中央を通る回動軸（図示しない）を中心に回転することにより、回動軸を取り巻くようにしてホース２が巻き取られる。
尚、リール１の外周面１１の形態については、複数の部材により構成されるものであって、一連のものではなく、分断されたものであっても良い。つまり、リール１の内外が連通した形態であっても良く、ホース等の長尺状体２を回動軸を取り巻くようにして巻き取ることのできるものであれば、種々に変更して実施が可能である。これは鍔部１２及び隔壁３においても同様であり、一枚板の形態に限られるものではなく、隙間を有するものであっても良い。
よって、保持部１１ｃの部分においても、リール１の外周面１１を省略して回動軸が露出したものとしても良い。又、巻取部１１ａ，１１ｂに対応する独立したリールをそれぞれ独立して設け、各リールを回動軸により連結したものとしても良い。
【００１１】
各巻取部１１ａ，１１ｂは、本例においては、上記の隔壁３によってホース２の直径にほぼ等しい幅に形成されている。そして、ホース２が巻き取られる際には、一段づつ巻き重ねられてゆく。これにより、ホース２はからまることなく、スムーズに巻き取られる。基端側巻取部１１ａにはホース２の基端側２１が巻き取られ、先端側巻取部１１ｂにはホース２の先端側２２が巻き取られる。
尚、本願発明は、本例のように、各巻取部１１ａ，１１ｂの幅をホース２の直径とほぼ一致させたものに限られるものではなく、ホース２を２列以上並べることのできる幅を持つものであっても良い。
【００１２】
保持部１１ｃは、本例においては、上記の各巻取部１１ａ，１１ｂと同様、ホース２の直径にほぼ等しい幅に形成されている。上記のように、各隔壁３１，３２には，図３に示すように、基端側貫通穴３１ａと先端側貫通穴３２ａが形成されており、ホース２の中間部２３は、この各貫通穴３１ａ，３２ａを貫通して各巻取部１１ａ，１１ｂへとつながっている。このため、接続部のない連続体であるホース２をそのままリール１に巻き取っていくことができる。尚、ホース２と各隔壁３１，３２との間には、ホース２の抜けを防止するための固定手段を設けておくことが望ましい。
【００１３】
本例の場合、保持部１１ｃにおいては、図３に示すように、基端側貫通穴３１ａと先端側貫通穴３２ａとは、リール１の回動中心に対して点対称の関係であって、正反対に位置しており、略Ｓ字状にホース２の中間部２３が配位されている。
ここで、保持部１１ｃを設けない場合のホースリールを図４に示す。図４において、隔壁３には貫通穴３ａが形成されており、ホース２は各巻取部１１ａ，１１ｂの間でつながっている。しかし、この場合において、ホース２が貫通穴３ａを通る部分においては、ホース２が屈曲して配位されており、各巻取部１１ａ，１１ｂ側共に遊びが設けられていないため、この部分のホース２に負担がかかるものであった。又、ホース２を無理に屈曲していることによって、貫通穴３ａの近くにおいては、ホース２が各巻取部１１ａ，１１ｂの外周面から浮き上がって、きれいに巻けない恐れがある。
これに対して図２に示すように、リール１に保持部１１ｃを設ける場合においては、上記のように、保持部１１ｃにおいてホース２に遊びを持たせることができるため、各巻取部１１ａ，１１ｂでの屈曲によってホース２にかかる負担を保持部１１ｃで逃がすことができる。又、各巻取部１１ａ，１１ｂの接線方向にホース２を巻いていきやすい。
尚、図４に示すホースリールは、保持部１１ｃが無い分コンパクトに形成することができるという利点を有するため、場合によってはこちらも採用し得る。
【００１４】
尚、上記「遊び」とは、保持部１１ｃにおいて、基端側貫通穴３１ａと先端側貫通穴３２ａとを結ぶ最短距離よりも、基端側貫通穴３１ａと先端側貫通穴３２ａとを結ぶホース２（中間部２３）の距離の方が長い状況を示す。
つまり、保持部１１ｃにおいてホース２（中間部２３）の配位された状況が以下の場合である。
（１）基端側貫通穴３１ａと先端側貫通穴３２ａとそれらの中間のいずれにおいてもホース２（中間部２３）を固定していないもの。
（２）基端側貫通穴３１ａと先端側貫通穴３２ａにおいてホース２（中間部２３）を固定しているもの。
（３）基端側貫通穴３１ａと先端側貫通穴３２ａのいずれにおいてもホース２（中間部２３）を固定していないものであって、基端側貫通穴３１ａと先端側貫通穴３２ａとの中間においては、当初から保持部１１ｃに対するホース２（中間部２３）の位置を決めて固定したもの。
（４）基端側貫通穴３１ａと先端側貫通穴３２ａのいずれにおいてもホース２（中間部２３）を固定していないものであって、基端側貫通穴３１ａと先端側貫通穴３２ａとの中間においては、自然に（成り行きで）決まったホース２（中間部２３）の位置に合わせて固定したもの。
【００１５】
尚、保持部１１ｃにおける基端側貫通穴３１ａ，先端側貫通穴３２ａの位置関係は本例のものに限定されるものではなく、基端側貫通穴３１ａとリール１の回動中心とを結ぶ線と、先端側貫通穴３２ａと同回動中心とを結ぶ線とが重ならず、角度を持って交差するものであれば良い。又、ホース２についても、図３に示す略Ｓ字状でなくても、種々の形態に巻いて良い。
本願発明に係るホースリールにおいては、従来のホースリールと異なり、連続体のホース２を利用することができ、接続部を設けなくても良いため、漏れを防止するためのシール等を行う必要がなく、ガス漏れ等が起こる心配がない。又、電気コード用リールに適用した場合においても、接点をなくすことができるため、漏電等が起こる心配がない。これにより、安全な長尺状体収納機構を提供することができる。
【００１６】
又、リール１を巻き取り方向ｉ（図１に図示）に付勢するためのゼンマイばね４が、図２に示すように、リール１の一方の端面に接するようにして設けられている。
ホース２を引出す際には、ゼンマイばね４を縮める方向にリール１が回転する。そのため、ホース２を引き出した状態でホース２を離すと、ゼンマイばね４の付勢によってホース２が引き込まれてしまう。よって、これを防止するために、リール１の回動を止めるためのストッパー６が設けられている。
【００１７】
本例では、ストッパー６は、図５に示すようなものであり、回動ディスク６１と係止部材６２とからなっている。係止部材６２は、操作部６２ａと爪体６２ｂとからなっており、支持部６２ｃによって所定範囲内において回動可能に支持されている。尚、図示していないが、操作部６２ａはケース５の外部に露出しており、外部からの操作が可能になっている。
回動ディスク６１は、リール１と一体になって回動するものであり、ゼンマイばね４が取り付けられている。この回動ディスク６１の外周面には歯状の段差が形成されている。この段差は、図５上における左周り方向で、ゆるやかに径外方向へと向かう傾斜部６１ａと、径内方向に急激に落ち込む壁部６１ｂとが繰り返すように形成されている。
そして、係止部材の爪体６２ｂは、この回動ディスク６１の外周面に対して当接可能な位置に設けられており、付勢手段６２ｄによって回動ディスク６１の外周部分に対して常時当接するようになされている。そのため、図上右周りの回動は許容するが、逆の左周りの回動については、爪体６２ｂが回動ディスク６１の壁部６１ｂに当接するため、回動が阻止される。この状態を解除するには、係止部材６２の操作部６２ａを図示の下方向に押し、爪体６２ｂを壁部６１ｂから離す。
【００１８】
ここで、ストッパー６としては、図６に示すように、掃除機等の電気器具に内蔵されるコードリールに用いられている、当接溝７１ａと係止溝７１ｂとが形成された係止板７１と、可動の当接レバー７３を有し、リール１に取り付けられるかリール１と一体に形成された回動板７２とを組み合せ、当接レバー７３の係止突起７３ａを係止板７１の係止溝７１ｂに対して着脱することによって、回動板７２とリールをその位置で止めることができるものであっても良い。この場合、リール１を付勢するためのゼンマイばね４は、係止板７１あるいは回動板７２、あるいはこれら以外のリール１に設けられている。
【００１９】
ケース５は、本例においては、図１に示すように、外部にホース２の基端部２１及び先端部２２とストッパー６の操作部６２ａ（図示しない）のみが露出するようにしてリール１等を覆ったものである。これにより外観のすっきりしたホースリールを提供することができる。
尚、本願発明において、このケース５の形成は必須のものではなく、リール１等を外部に露出したままの状態としても良い。又、リール１等を支持する最低限の部材で構成するものとしても良い。
そして、ケース５の底部にはキャスター６が設けられている。このため、例えば、ホース２をリール１に巻き取った状態のまま、基端部２１をガス栓に接続して先端部２２を引出す際には、リール１が引出し方向に回転すると共に、リール１自体がケース５ごと移動するため、キャスター６がなく、ケース５が固定されたままのホースリールに比べて、比較的楽にホース２の引出しを行うことができる。
【００２０】
以上、本願発明に係る長尺状体収納機構について、ガスホース用のホースリールを一例にとりあげて説明したが、用途はこれに限られるものではなく、電気コード、空気や水の流体用ホース、又、ロープやワイヤーやチェーン、又、縄ばしご等についても適用が可能である。
リール１に巻き取られる長尺状体２の断面形状についても、ホース等の円形のものに限られるものではなく、楕円、長円、眼鏡形、多角形等、種々の形状を有する長尺状体２に適用が可能である。
【００２１】
【発明の効果】
本願第１の発明にあっては、中間に接続部を有しない長尺状体を巻き取ることができるため、ガス漏れや漏電等の起こらない安全なものであり、長尺状体の基端側と先端側を分けて巻取りができるものであるため、からまってしまうことも少ない長尺状体収納機構を提供することができる。
又、本願第２の発明にあっては、上記の効果に加え、各巻取部の幅が長尺状体の断面寸法にほぼ等しく形成されるため、長尺状体を巻き取る際には一段づつ巻き重ねられてゆく。これにより、長尺状体をからまることなくスムーズに巻き取ることができる。
又、本願第３の発明にあっては、上記第１又は第２の効果に加え、長尺状体を保持部に配位し、取り回すことにより、長尺状体に負担をかけることなく、基端部と先端部を分けてスムーズに巻き取ることができる。
【図面の簡単な説明】
【図１】（Ａ）は本願発明の実施の一例に係るホースリールを示す正面図であり、（Ｂ）は同右側面図である。
【図２】図１のＡ−Ａ断面図である。
【図３】保持部に配位されるホースを示す説明図である。
【図４】本願発明の実施の他の一例であり、保持部を設けないホースリールにおける、図２に相当する断面図である。
【図５】ストッパーを示す説明図である。
【図６】ストッパーの他の例を示す説明図であり、（Ａ）は回動板、（Ｂ）は係止板を示す。
【図７】従来のホースリールの一例を示す説明図である。
【符号の説明】
１　　　リール
１１　　リールの外周面
１１ａ　（基端側）巻取部
１１ｂ　（先端側）巻取部
１１ｃ　保持部
２　　　長尺状体、ホース
２１　　長尺状体の基端部
２２　　長尺状体の先端部
２３　　長尺状体の中間部
３　　　隔壁
３１　　（基端側）隔壁
３２　　（先端側）隔壁
４　　　ゼンマイばね
ｉ　　　巻き取り方向
【図１】
2004043151.tif 000003
【図２】
2004043151.tif 000004
【図３】
2004043151.tif 000005
【図４】
2004043151.tif 000006
【図５】
2004043151.tif 000007
【図６】
2004043151.tif 000008
【図７】
2004043151.tif 000009